(57)【特許請求の範囲】
【請求項１】
１台の放熱器（８）に、１台の角筒状のヒーターユニットボックス（１）を対応配置した電気加温式温水循環型の暖房システムであって、放熱器（８）は、温水供給口（８Ｓ）及び温水排出口（８Ｒ）を備えた温水循環型放熱器であり、ヒーターユニットボックス（１）は、断面Ｌ型の、長尺の左側板（１Ｌ）と右側板（１Ｒ）とを接合した長尺の角筒部（１Ｋ）と、角筒部（１Ｋ）の両端に、着脱自在に嵌着する上蓋（１Ｕ）及び下蓋（１Ｄ）とを含み、断面Ｌ型の左側板（１Ｌ）が、一側辺（ＬＳ１）には、上下に、等間隔で複数個の電線挿入用孔（Ｈ１）を備え、他側辺（ＬＳ２）には、電線挿入用孔（Ｈ１）と対応する位置に、複数の空気流通孔（Ｈ３）を備えて、空気分離圧力タンク（２）、循環ポンプ（３）、パイプヒーター（４）を、ボール弁（６Ａ，６Ｂ，６Ｃ）、チーズ（７）を介して配管接続して温水循環機能を収納し、往き管（Ｓ）及び戻り管（Ｒ）で放熱器（８）と接続した、電気温水循環暖房システム。
【請求項２】
ヒーターユニットボックス（１）は、断面Ｌ型の左側板（１Ｌ）が、両端にコーナー辺（１Ａ）を屈曲延出すると共に、コーナー辺（１Ａ）の端部を断面Ｌ型のアンカー片（１Ｃ）とし、断面Ｌ型の右側板（１Ｒ）の両端には、左側板（１Ｌ）のアンカー片（１Ｃ）と接続用の当接アンカー片（１Ｆ）を配置し、断面Ｌ型の、左側板（１Ｌ）及び右側板（１Ｒ）の上下端適所にねじ孔（Ｈ２）を配置して、上蓋（１Ｕ）及び下蓋（１Ｄ）のねじ孔（Ｈ２）と、左側板（１Ｌ）及び右側板（１Ｒ）のねじ孔（Ｈ２）とをねじ螺合した、請求項１の電気温水循環暖房システム。
【請求項３】
空気分離圧力タンク（２）は、下辺（２Ｄ）、前辺（２Ｆ）、後辺（２Ｂ）、上辺（２Ｔ）及び両側辺（２Ｌ，２Ｒ）を含み、且つ上辺（２Ｔ）が前側傾斜辺（Ｓｆ）で前辺（２Ｆ）と、後側傾斜辺（Ｓｂ）で後辺（２Ｂ）と連続する箱形状であって、前辺（２Ｆ）の上下中央部には接続口（Ｊ１）を、後辺（２Ｂ）上下中央部には接続口（Ｊ２）を、上辺（２Ｔ）の後部には接続口（Ｊ３）を備え、両側辺（２Ｌ，２Ｒ）間に亘って、後方に傾斜上昇する２枚の羽根板（２Ａ，２Ａ´）を、前側羽根板（２Ａ）が、下方で前辺の接続口（Ｊ１）の後方対応位置に、後側羽根板（２Ａ´）が、上方で上辺接続口（Ｊ３）の下方対応位置に配置したものである、請求項１、又は２の電気温水循環暖房システム。
【請求項４】
角筒状のヒーターユニットボックス（１）を縦配置して使用する際には、空気分離圧力タンク（２）の前辺（２Ｆ）を上側、後辺（２Ｂ）を下側として配置し、上辺（２Ｔ）の接続口（Ｊ３）にパイプヒーター（４）を接続し、後辺（２Ｂ）の接続口（Ｊ２）に往き管（Ｓ）を接続し、前辺（２Ｆ）の接続口（Ｊ１）をキャップ（２Ｃ）で閉止する、請求項３の電気温水循環暖房システム。
【請求項５】
角筒状のヒーターユニットボックス（１）を横配置して使用する際には、空気分離圧力タンク（２）の上辺（２Ｔ）を上側、下辺（２Ｄ）を下側として配置し、前辺（２Ｆ）の接続口（Ｊ１）にパイプヒーター（４）を接続し、後辺（２Ｂ）の接続口（Ｊ２）に往き管（Ｓ）を接続し、上辺の接続口（Ｊ３）をキャップ（２Ｃ）で閉止する、請求項３の電気温水循環暖房システム。
【請求項６】
キャップ（２Ｃ）に換えて、更に、空気分離圧力タンク（２）と同一構造の補助タンク（２´）を接続し、補助タンク（２´）の連結した接続口以外の他の２個の接続口をキャップ（２Ｃ）で閉止する、請求項４又は５の電気温水循環暖房システム。
【発明の詳細な説明】
【技術分野】
【０００１】
本発明は、室内暖房用として用いる電気温水循環暖房システムに関するものである。
【背景技術】
【０００２】
従来より、室内用温水暖房システムとしては各種タイプが提案されており、図７に示す従来例１、及び図８に示す従来例２がある。
従来例１（図７）は、非特許文献１に挙げた典型的な温水暖房システムであって、図７（Ａ）は暖房システムの概略配置図、図７（Ｂ）は放熱器の正面図、図７（Ｃ）は放熱器の側面図である。
【０００３】
即ち、従来例１（図７）は、圧力計、安全逃し弁、排水弁を備えたボイラーを、電気、灯油、ガス等で加熱し、温水ボイラーで温めた温水を、配管及び往き側ヘッダーを介して各居室内の放熱器に送水して室内暖房し、放熱器から配管及び戻り側ヘッダーを介して温水をボイラーに戻して再加熱するものであり、１つの温水循環機能部には、循環ポンプ、密閉膨張タンク、空気抜き弁、ヘッダー等を収め、各放熱器にも、空気抜き弁、サーモスタッドバルブ、温水出入弁を配置したものである。
【０００４】
また、従来例２（図８）は、特許文献１として挙げたものであって、図８に示す如く、直線状の加熱用銅管の外周面に多数の放熱フィンを配置し、加熱用銅管内の加熱室にはシーズヒーターを、加熱用銅管のほぼ全長に亘って配置すると共に、加熱室内に水溶液を充填し、更に加熱室から膨張室用銅管を連設して膨張室を配置し、膨張室内にイナートガスを注入し、暖房器全体を小型化すると共に、放熱フィンを極めて短時間のうちに加熱し、放熱の初期立上りを早くした暖房器である。
【非特許文献１】森永エンジニアリング（株）のパンフレット（番号０４０２−５Ｃ−ｄＢ）「森永温水パネル暖房技術資料」の、「設計、施工、運転上の注意事項」の項、及び同パンフレットの「サーモパネル取扱方法」の項
【特許文献１】実開平６−１８８１３号公報
【発明の開示】
【発明が解決しようとする課題】
【０００５】
従来例１（図７）の温水循環暖房システムは、安全逃し弁、圧力計、排水用仕切弁、給水用仕切弁を備えた温水ボイラーと、安全逃し弁を備えた密閉膨張タンクと、往き用及び戻り用ヘッダーと、温水循環ポンプと、ボイラーと循環ポンプ間に設置した空気抜き弁を備えたエアセパレータと、給排水用の仕切弁を備えた放熱器群と、各機器及び弁類を接続した配管パイプから構成され、建物内に設けたボイラー室から、床下、壁内、天井内の配管で室内放熱器に接続しているため、次の問題がある。
【０００６】
（イ）．温水循環暖房システムが老朽化すると、金属パネル（放熱器）及び配管に錆が発生し、温水が循環しなくなったり、漏水事故が発生し、床、壁、天井を汚損するが、システムの復旧、修理は、埋設配管であるため、復旧は、時間と経費を必要とする。
（ロ）．システム内の循環ポンプ等が故障するとシステム全体の暖房が停止し、機器の修理、取替等の際には、ボイラー本体の仕様変更等、配管変更作業が生じる。
（ハ）．温水ボイラーから各放熱器への配管のため、配管経路中の放熱による熱損失が大となる。
（ニ）．放熱器には、内部の空気抜き、メンテナンス用の給排水仕切弁等が付設し、サーモスタットが突出しているため、美観を損なう。
【０００７】
従来例２（図８）の電気暖房器にあっては、暖房器の全体容積に比して放熱部の割合が小さく、シーズヒーター内の水溶液を温めるだけで、温水が循環しないため、温度の部分斑が生じ、且つ放熱量も少ない。
そして、暖房放熱は自然対流なので、放熱の部位による温度斑が生じ易い。
しかも、サーモスタットによる電源のオン、オフ操作も顕著となって、電気熱量に対する発熱効果が悪い。
本願発明は、従来例１，２の内在する課題を一挙に解決、又は改善するものであって、単独型の暖房器に於いて、放熱部と温水循環部とを分離して一対として使用するものであり、メンテナンス容易で、リフォームにも好適に採用出来る新規な電気温水循環暖房システムを提供するものである。
【課題を解決するための手段】
【０００８】
本発明は、図１及び図２に示す如く、１台の放熱器８に、１台の角筒状のヒーターユニットボックス１を対応配置した電気加温式温水循環型の暖房システムであって、放熱器８は、温水供給口８Ｓ及び温水排出口８Ｒを備えた温水循環型放熱器であり、ヒーターユニットボックス１は、断面Ｌ型の、長尺の左側板１Ｌと右側板１Ｒとを接合した長尺の角筒部１Ｋと、角筒部１Ｋの両端に、着脱自在に嵌着する上蓋１Ｕ及び下蓋１Ｄとを含み、断面Ｌ型の左側板１Ｌが、一側辺ＬＳ１には、上下に、等間隔で複数個の電線挿入用孔Ｈ１を備え、他側辺ＬＳ２には、電線挿入用孔Ｈ１と対応する位置に、複数の空気流通孔Ｈ３を備えて、空気分離圧力タンク２、循環ポンプ３、パイプヒーター４を、ボール弁６Ａ，６Ｂ，６Ｃ、チーズ７を介して配管接続して温水循環機能を収納し、往き管Ｓ及び戻り管Ｒで放熱器８と接続したものである。
【０００９】
この場合、新規な空気分離圧力タンク２は、従来例１（図７）に於ける、膨張タンクとエアセパレータとの機能を奏するものであり、容量は、暖房システム内を還流させる水の、常温時の量、加温時の量、及び分離空気量に基づいて決めれば良い。
また、ヒーターユニットボックス１を構成する循環ポンプ３、パイプヒーター４、ボール弁６Ａ，６Ｂ，６Ｃ、チーズ７は、慣用品で準備出来、循環ポンプ３は、慣用の樹脂製電磁ポンプでも金属製循環ポンプでも良く、パイプヒーター４は、省エネルギー性に優れた、熱匠（株）製の、１ｋｗ発熱用ＳＣヒーター（商品名）を暖房能力に応じて複数本採用し、配管用パイプは、耐久性、耐熱性、耐溶剤性に優れた、慣用のエチレン−プロピレンゴム製を採用すれば良い。
【００１０】
また、ヒーターユニットボックス１は、従来例１（図７）の温水循環機能をパッケージとして詰め込んだものであるが、放熱器８の側面に縦配置しても、放熱器８の下部に横配置しても、即ち、縦配置使用も、横配置使用も可能なように構成したものであり、１ｋｗ〜３ｋｗ暖房システムにあっては、ヒーターユニットボックス１は、典型的には、幅Ｌ１が１８０mm、奥行きＷ１が１６０mm、高さｈ１が５９０mmの角筒形状の小型ボックスである。
また、放熱器８は、温水循環型であれば何れも採用可能であり、森永エンジニアリング（株）製の金属パネル（商品名：サーモパネル）や、特開２００１−１１６４７５号の、プラスチック製放熱器が採用出来る。
【００１１】
従って、本発明の暖房システムは、１台の放熱器８に１台のヒーターユニットボックス１が対応配置されるため、例え１台のヒーターユニットボックス１に故障が生じても、他の放熱器８は機能するため、家屋全室の暖房システムの機能不全は避けられ、居住部の暖房の、全て停止の事態は避けられる。
また、本発明の暖房システムにあっては、加熱部を内臓するヒーターユニットボックス１が放熱器８と隣接配置と出来るため、従来例１（図７）の加熱部（ボイラー）から放熱器への経路中の配管からの熱放散に伴う熱損失が無く、例えヒーターユニットボックス１内の管路から熱放散が生じても、室内への熱放散となり、実質上、暖房熱の熱損失は生じない。
【００１２】
また、放熱器８が温水循環型であるため、放熱温度斑が生ずること無く暖房出来ると共に、各放熱器８自体も、それぞれのヒーターユニットボックスでの単独運転による加熱放熱であるため、熱損失を生じない、且つ、適宜必要暖房が出来る。
そして、放熱器８からは、従来例１（図７）の如き、サーモスタットバルブ、空気抜き、仕切弁の突出が無いので、安全で、意匠効果の優れた室内暖房システムを提供する。
しかも、床下、壁内、天井等の配管が無いため、必要部位への暖房システムの配置が、簡便、自在であり、例え、放熱器８又はヒーターユニットボックス１から漏水があっても、目視出来て、大きな汚損事故とならない。
また、リフォーム時の在来型暖房システムの更新に際しても、床下、壁内等の旧配管は放置したまま、既設の循環型放熱器に、ヒーターユニットボックス１を併置するだけで、本発明の、暖房システムに簡便に更新出来る。
【００１３】
また、本発明は、ヒーターユニットボックス１が、例えば図４、図５に示す如く、断面Ｌ型の、長尺の左側板１Ｌと右側板１Ｒとを接合した長尺の角筒部１Ｋと、角筒部１Ｋの両端に、着脱自在に嵌着する上蓋１Ｕ及び下蓋１Ｄとを含み、断面Ｌ型の左側板１Ｌが、一側辺ＬＳ１には、上下に、等間隔で複数個の電線挿入用孔Ｈ１を備え、他側辺ＬＳ２には、電線挿入用孔Ｈ１と対応する位置に、複数の空気流通孔Ｈ３を備えた点も必須要件としている。
【００１４】
この場合、左側板１Ｌは、内面に機器等の支持材を取付けるものであり、右側板１Ｒは、角筒部１Ｋの蓋の役目を奏するものである。
また、電線挿入用孔Ｈ１は、壁面ＷＳ又は床面ＦＳに予め埋設した電気配管ボックス９Ａと、ヒーターユニットボックス内に収納する温度調整ユニットとの結線を適宜位置で実施可能とするものであり、人手の入る大きさであり、典型的には、幅６０mm、高さ４０mmの長円孔であり、１００mm間隔で５ヶ所に配置したものである。
また、空気流通孔Ｈ３は、ヒーターユニットボックス１内の熱を外部に放散するものであって、ヒーターユニットボックス１に空気貫流路を形成するものであり、典型的には、幅２０mm、高さ４０mmの長円孔である。
尚、ヒーターユニットボックス１を、立設使用する際には、上蓋１Ｕに操作パネル９Ｅを配置し、横型として使用する際には、角筒部１Ｋの蓋機能を奏する右側板１Ｒに操作パネル９Ｅを配置すれば良い。
【００１５】
従って、上蓋１Ｕ及び下蓋１Ｄを取外すことによって、角筒部１Ｋは断面Ｌ型の左側板１Ｌと右側板１Ｒとに分解出来、左側板（１Ｌ）のみに収納機器を固定出来るため、角筒部１Ｋの蓋部材としての右側板１Ｒを外すことにより、ヒーターユニットボックスのメンテナンスが簡便に実施出来る。
また、ヒーターユニットボックス１の各室内への配置も、電線挿入用孔Ｈ１を、直列形態で多段に配置したため、外部の電気配管ボックス９Ａとの接続位置選定が可能となり、外見を損なわない形態での配置が可能である。
しかも、ヒーターユニットボックス１内も、電線挿入用孔Ｈ１及び空気流通孔Ｈ３を介して、外部の室内空気の貫流が可能であるため、ヒーターユニットボックス１内で加熱放散する熱は室内暖房に助力し、熱損失が実質上生じない室内暖房システムを提供する。
【００１６】
また、ヒーターユニットボックス１は、図４に示す如く、断面Ｌ型の左側板１Ｌが、両端にコーナー辺１Ａを屈曲延出すると共に、コーナー辺１Ａの端部を断面Ｌ型のアンカー片１Ｃとし、断面Ｌ型の右側板１Ｒの両端には、左側板１Ｌのアンカー片１Ｃと接続用の当接アンカー片１Ｆを配置し、断面Ｌ型の、左側板１Ｌ及び右側板１Ｒの上下端適所にねじ孔Ｈ２を配置して、上蓋１Ｕ及び下蓋１Ｄのねじ孔Ｈ２と、左側板１Ｌ及び右側板１Ｒのねじ孔Ｈ２とをねじ螺合するのが好ましい。
【００１７】
尚、左側板１Ｌ及び右側板１Ｒは、典型的には、１．２mm厚の鋼板であり、左側板１Ｌの内面には、それ自体慣用の支持部材を介して、ボール弁、チーズ、空気分離圧力タンク等の各必要機器を取付けるため、図４（Ａ）に示す如く、左側板１Ｌの各辺ＬＳ１，ＬＳ２、及びコーナー辺１Ａには、補強用のリブ突起１Ｇを配置するのが好ましい。
【００１８】
従って、ヒーターユニットボックス１は、上蓋１Ｕ及び下蓋１Ｄと左側板１Ｌ及び右側板１Ｒとの嵌合、ねじ螺着によって、簡便に組立分離が可能となり、収納機器類は左側板１Ｌのみに取付けてあるため、点検、修理、取替等のメンテナンスも容易である。
そして、アンカー片１Ｃと当接アンカー片１Ｆの存在により、メンテナンス時に取外す右側板１Ｒの左側板１Ｌへの取付け作業性が向上すると共に、アンカー片１Ｃ及び当接アンカー片１Ｆは、ボックス１の補強リブ機能も奏する。
【００１９】
また、ヒーターユニットボックス１内に配置する空気分離圧力タンク２は、図６に示す如く、下辺２Ｄ、前辺２Ｆ、後辺２Ｂ、上辺２Ｔ及び両側辺２Ｌ，２Ｒを含み、且つ上辺２Ｔが前側傾斜辺Ｓｆで前辺２Ｆと、後側傾斜辺Ｓｂで後辺２Ｂと連続する箱形状であって、前辺２Ｆの上下中央部には接続口Ｊ１を、後辺２Ｂ上下中央部には接続口Ｊ２を、上辺２Ｔの後部には接続口Ｊ３を備え、両側辺２Ｌ，２Ｒ間に亘って、後方に傾斜上昇する２枚の羽根板２Ａ，２Ａ´を、前側羽根板２Ａが、下方で前辺の接続口Ｊ１の後方対応位置に、後側羽根板２Ａ´が、上方で上辺接続口Ｊ３の下方対応位置に配置したものである
【００２０】
この場合、空気分離圧力タンク２の容量は、循環暖房システム内に密閉した水量の常温（標準：１５℃）時、及び温水（標準：８０℃）時の膨張時水量、及び膨張時水量に伴うタンク２内の空気圧力から算出決定し、各接続口Ｊ１，Ｊ２，Ｊ３の位置は、常温時でも、ヒーターユニットボックス１の横使用時には、接続口Ｊ１及び接続口ｊ２が水位面下となるように、ヒーターユニットボックス１の縦使用時には、接続口Ｊ３及び接続口Ｊ２が水位面下となるように決定すれば良い。
また、下方羽根板２Ａと上方羽根板２Ａ´とは、共に空気分離を助長するための制御乱流を生起するものであり、傾斜角３０°とすれば、タンクの縦使用でも横使用でも、自然発生渦流を抑制し、分流作用によって空気分離を促進する制御乱流を発生させる機能を生ずる。
【００２１】
そして、空気分離圧力タンク２は、小型化、プラスチック樹脂製で、空気抜き弁、安全逃し弁、を不要とする命題の下に、循環システム内の高圧時の爆発生起強度の約３倍の強度（安全率）とし、典型的には、０．６mm厚のプラスチック樹脂製であって、放熱器１ｋｗに関しては、縦使用形態では、常温時に、水量０．１９Ｌ（リットル）、システム内圧力０．０１Ｍpa、８０℃時に、水量０．２６Ｌ、システム内圧力０．０４Ｍpaとなり、横使用では、常温時に、水量０．２８Ｌ、システム内圧力０．０１Ｍpa、８０℃時に、水量０．３４Ｌ、システム内圧力０．０４Ｍpaとなるものである。
尚、空気分離圧力タンク２は、半透明プラスチック製としておけば、外からの透視が可能となり、循環暖房システム内への水の充填時のタンク内への入水が目視出来、循環暖房システムの準備、メンテナンスに好都合である。
【００２２】
従って、本発明の空気分離圧力タンク２は、縦使用時にも横使用時にも、２枚の羽根板２Ａ，２Ａ´がタンク２内への流入温水流を、空気分離に有効な制御乱流として、タンク内の流速の急激低下と相俟って、水中の空気泡を好適に上昇分離し、循環システム内での発生空気を、空気分離圧力タンク２内に安全に確保するため、循環システム内にあって、従来（図７）の安全逃し弁、空気抜き弁の配置の不要な空気分離圧力タンクを提供し、従来例１（図７）の放熱器を除く全循環システムの、１個のヒーターユニットボックス１内への収納、ヒーターユニットボックス１の縦使用又は横使用の汎用化、及びヒーターユニットボックス１の小型化を可能とする。
【００２３】
また、本発明にあって、角筒状のヒーターユニットボックス１を、図２の如く、縦配置して使用する際には、空気分離圧力タンク２の前辺２Ｆを上側、後辺２Ｂを下側として配置し、上辺２Ｔの接続口Ｊ３にパイプヒーター４を接続し、後辺２Ｂの接続口Ｊ２に往き管Ｓを接続し、前辺２Ｆの接続口Ｊ１をキャップ２Ｃで閉止するのが好ましい。
この場合、接続口Ｊ３とパイプヒーター４間、接続口Ｊ２と往き管Ｓ間の経路接続は、エチレン−プロピレンゴム（ＥＰＤＭ）パイプで接続すれば良い。
【００２４】
従って、空気分離圧力タンク２は、図６（Ｄ）に示す如く、循環水が、常温時にはｗＬ１の水位に、８０℃ではｗＬ２の水位になって、接続口Ｊ３からの流入水Ｆｉｎが接続口Ｊ２からの流出水Ｆｏｕｔとなり、タンク２内では急速に流速が低下し、タンク２内で下方の羽根板２Ａの、上方への流れＦ１、下方への流れＦ２、上方の羽根板２Ａの、上方への流れＦ３、下方への流れＦ４となって、水中の空気泡は、キャップ２Ｃで閉止されたタンク上部の空気域Ｚａへと分離上昇し、放熱器８内には空気を含まない温水が循環給水出来る。
そのため、本発明の空気分離圧力タンク２は、図６（Ｄ）の如く、縦配置で使用しても、従来例１（図７）の、密閉膨張タンクとエアセパレータとの機能を発揮し、ヒーターユニットボックス１の小型化が可能となる。
【００２５】
また、角筒状のヒーターユニットボックス１を横配置して使用する際には、空気分離圧力タンク２の上辺２Ｔを上側、下辺２Ｄを下側として配置し、前辺２Ｆの接続口Ｊ１にパイプヒーター４を接続し、後辺２Ｂの接続口Ｊ２に往き管Ｓを接続し、上辺の接続口Ｊ３をキャップ２Ｃで閉止するのが好ましい。
この場合、接続口Ｊ１とパイプヒーター４、及び接続口Ｊ２と往き間Ｓとの接続は、エチレン−プロピレンゴム管で接続すれば良い。
そして、上辺２Ｔの接続口Ｊ３をキャップ２Ｃで空密閉止するため、タンク２の接続口Ｊ３の下方域は空気域Ｚａとなる。
【００２６】
従って、空気分離圧力タンク２は、図６（Ｃ）に示す如く、循環水が常温（１５℃）時には、ｗＬ１の水位に、８０℃ではｗＬ２の水位になって、パイプヒーター４からの循環流入水Ｆｉｎが接続口Ｊ１からタンク２内に流入し、流速の低下した流入水は、前側羽根板２Ａで上側流れＦ１及び下側流れＦ２に分流されて流水中の空気泡は分離上昇し、後側羽根板２Ａでも、上側流れＦ３と下側流れＦ４とに分流され、流水から発生する空気泡をタンク上部の空気域Ｚａに分離上昇させながら、循環流出水Ｆｏｕｔとなって後辺の接続口Ｊ２から往き管Ｓに供給される。
【００２７】
そして、上辺２Ｔの接続口Ｊ３はキャップ２Ｃで閉止し、タンク２の上部の空気域Ｚａは循環水の加熱膨張最大圧力が爆発臨界値以下（標準：１／３爆発圧力値）に設定されているため、空気分離圧力タンク２は、図６（Ｃ）の如く、横配置で使用しても、従来例１（図７）の、密閉膨張タンクとエアセパレータとの機能を発揮し、ヒーターユニットボックス１の小型化が可能となる。
【００２８】
また、本発明にあっては、例えば図２に示す如く、空気分離圧力タンク２にあっては、キャップ２Ｃに換えて、更に、空気分離圧力タンク２と同一構造の補助タンク２´を接続し、補助タンク２´の連結した接続口以外の他の２個の接続口をキャップ２Ｃで閉止するのが好ましい。
この場合、空気分離圧力タンク２を、図２の如く、縦配置で使用する際には、前辺２Ｆの接続口Ｊ１を補助タンク２´と接続し、横配置で使用する際には、上辺２Ｔの接続口Ｊ３を補助タンク２´と接続することとなる。
【００２９】
そして、補助タンク２´は、空気分離圧力タンク２の空気域Ｚａと接続するため、空気分離圧力タンク２の空気域Ｚａの内容積の拡大を達成する。
従って、空気分離圧力タンク２に補助タンク２´を接続したヒーターユニットボックス１は、空気分離圧力タンク２の爆発の心配の全く存在しない温水循環システムを提供するばかりか、例えば、１ｋｗから３ｋｗ等への、システム内充填水量の増大を伴う発熱容量の増大にも、ヒーターユニットボックス１を何ら変更することなく対処可能となる。
【発明の効果】
【００３０】
本発明の暖房システムは、１台の放熱器８に１台のヒーターユニットボックス１が対応配置されるため、例え１台のヒーターユニットボックス１に故障が生じても、他のヒーターユニットボックス１及び対応放熱器８が機能するため、家屋全室の暖房システムの機能不全は避けられ、居住部の暖房の、全て停止の事態は避けられる。
【００３１】
また、加熱部（パイプヒーター）を内臓するヒーターユニットボックス１は、放熱器８と隣接配置と出来るため、加熱部から放熱器への温水循環経路上での熱の放出損失は無く、ヒーターユニットボックス１内で生ずる熱放出も、室内加熱機能を奏するため、実質上、暖房熱の熱損失が生じない室内暖房システムとなる。
【００３２】
また、放熱器８が温水循環型であるため、放熱温度斑の生じない放熱暖房となり、各放熱器自体も、それぞれのヒーターユニットボックス１での別個独立の運転による加熱放熱となるため、必要暖房の運転が自在に調整出来る。
また、リフォーム時の、既設の循環型暖房システムの更新に際しても、床下、壁内等の旧配管は放置したまま、既設の温水循環放熱器に本発明のヒーターユニットボックス１を対応併置するだけで、本発明の暖房システムに簡便に更新出来る。
【００３３】
また、従来の温水循環暖房システム（図７）での、膨張タンク、エアセパレータ、安全逃し弁、及び水抜き弁の機能を奏する、新規な空気分離圧力タンク２を開発して採用したため、ヒーターユニットボックス１は、小型化、軽量化が可能となり、放熱器８も、温水循環型でさえあれば、慣用の金属製放熱器にも、軽量で腐蝕の怖れが無く、且つ火傷の怖れも無いプラスチック製放熱器にも対応可能であり、新築建物はもとより、既存建物の暖房システム改修にも、適用可能である。
その上、ヒーターユニットボックス１は、上蓋１Ｕ及び下蓋１Ｄを取外すことによって、角筒部１Ｋは断面Ｌ型の左側板１Ｌと右側板１Ｒとに分解出来、左側板（１Ｌ）のみに収納機器を固定出来るため、角筒部１Ｋの蓋部材としての右側板１Ｒを外すことにより、ヒーターユニットボックスのメンテナンスが簡便に実施出来る。
また、ヒーターユニットボックス１の各室内への配置も、電線挿入用孔Ｈ１を、直列形態で多段に配置したため、外部の電気配管ボックス９Ａとの接続位置選定が可能となり、外見を損なわない形態での配置が可能である。
しかも、ヒーターユニットボックス１内も、電線挿入用孔Ｈ１及び空気流通孔Ｈ３を介して、外部の室内空気の貫流が可能であるため、ヒーターユニットボックス１内で加熱放散する熱は室内暖房に助力し、熱損失が実質上生じない室内暖房システムを提供する。
【発明を実施するための最良の形態】
【００３４】
〔ヒーターユニットボックス匡体（図４、図５）〕
ヒーターユニットボックス１は、電気温水循環暖房システムの、ヒーター、循環ポンプ等を含む温水暖房機能を収納したものであって、放熱器に隣接して、縦配置、又は横配置可能としたものであり、本体の匡体（ボックス）１と、収納する各種機器から成るものである。
図４は、匡体１の分解斜視図であって、（Ａ）は左側板１Ｌを、（Ｂ）は右側板１Ｒを、（Ｃ）は上蓋１Ｕを、（Ｄ）は下蓋１Ｄを示す図であり、図５（Ａ）は、匡体に組み立てた斜視図であり、図５（Ｂ）は、図５（Ａ）のＢ−Ｂ線断面図である。
【００３５】
ヒーターユニットボックスの匡体は、１．２mm厚の鋼板を押圧金型で加工した、左側板１Ｌ、右側板１Ｒを角筒形態に組んで、上蓋１Ｕと下蓋１Ｄとで両端を嵌合止着するものであって、図５（Ａ）の組立て形態では、幅Ｌ１が１８０mm、奥行きＷ１が１６０mm、高さｈ１が５９０mmの角筒体である。
左側板１Ｌは、図４（Ａ）に示す如く、断面Ｌ型で、内面に各種機器を固定収納する板材であり、高さｈ１１が５５０mmで、匡体の幅Ｌ１（１８０mm）となる一側辺ＬＳ１側には、上下に、等間隔（１００mm間隔）で、長さ６０mm、高さ４０mmの横長の電線挿入用孔Ｈ１を５ヶ所穿設し、匡体の奥行きＷ１となる他側辺ＬＳ２には、幅２０mm、高さ４０mmの縦長の空気流通孔Ｈ３を、電線挿入用孔Ｈ１の対応位置に５ヶ所穿設する。
【００３６】
そして、図４（Ａ）に示す如く、一側辺ＬＳ１及び他側辺ＬＳ２の端部から小幅Ｗ１１（標準：３５mm）のコーナー辺１Ａを屈曲延出し、コーナー辺１Ａの端部には、更に、断面Ｌ型のアンカー片１Ｃを、図５（Ｄ）に示す如く、内方に小寸ｄ１２（標準：７mm）落ち込ませて延出する。
この場合、アンカー片１Ｃの上下端は小寸ｄ１１（標準：１０mm）切落としておく。
そして、各コーナー辺の上下端、及び左側板１Ｌのコーナー部の上下端には、ねじ孔Ｈ２を穿設しておく。
また、電線挿入用孔Ｈ1を配置した一側辺ＬＳ１は、収納機能を担持するため、適所（標準：各コーナーからＬ１１（４０mm）位置の２ヵ所）に、上下に亘る補強リブ１Ｇを、小寸ｄ１５（標準：６mm）の半円突起の形態で形成しておく。
【００３７】
右側板１Ｒは、左側板１Ｌと整合一体化して匡体を形成するものであり、左側板１Ｌの内面に配置した各種機能機器のメンテナンス時に、取外す蓋板であり、図４（Ｂ）に示す如く、断面Ｌ型の一側辺ＲＳ１と他側辺ＲＳ２との屈曲コーナー部を、幅Ｌ１０（標準：８６mm）の傾斜辺１Ｒ´として、平滑面に形成し、一側辺ＲＳ１の端部及び他側辺ＲＳ２の端部は、図４（Ｂ）、図５（Ｄ）に示す如く、内方に屈曲して、小寸ｄ１２（標準：７mm）突出した当接アンカー片１Ｆを形成し、一側辺ＲＳ１及び他側辺ＲＳ２の端部の上下にはねじ孔Ｈ２を穿設しておく。
【００３８】
上蓋１Ｕは、下蓋１Ｄと対向同形状物であり、左側板１Ｌと右側板１Ｒとで形成する匡体１の角筒部の上端に嵌合係止するものであって、図４（Ｃ）に示す如く、天板１Ｔは、奥行きＷ１が１６０mm、幅Ｌ１が１８０mmで、右側板１Ｒの対向部では、折曲げ部ＥＰから長さＷ１０（標準：８５mm）の位置から、右側板１Ｒの傾斜辺１Ｒ´に対向する長さＬ１０（標準：８６mm）の傾斜辺ＴＳを備えた、矩形の一辺を傾斜辺ＴＳとした変形５角形板であって、各辺は、天板１Ｔから下方へ直角折曲形態の、高さｈ１０（２０mm）の立上り片１Ｐを一体的に備えている。
【００３９】
即ち、上蓋１Ｕは、天板１Ｔと立上り片１Ｐとの箱蓋形態であり、立上り片１Ｐの出隅部以外には、立上り片１Ｐの内面に、突出長ｄ１０（１０mm）の当接係止片１Ｖを当接固定し、各当接係止片１Ｖには、左側板１Ｌ及び右側板１Ｒのねじ孔Ｈ２に対応するねじ孔Ｈ２を配置しておく。
また、下蓋１Ｄは、上蓋と面対称の固形状物であって、天板１Ｔと同形の底板１Ｂの周囲に、高さｈ１０が２０mmの立上り片１Ｐを配置し、立上り片１Ｐの出隅部以外には、立上り片１Ｐの内面に当接係止片１Ｖを、高さｄ１０（１０mm）突出形態に固定し、当接係止片１Ｖの、左側板１Ｌ及び右側板１Ｒの下端のねじ孔Ｈ２の対応位置に、ねじ孔Ｈ２を配置したものである。
【００４０】
即ち、匡体の組立ては、下蓋１Ｄ及び上蓋１Ｕの各立上り片１Ｐの端縁が、左側板１Ｌ及び右側板１Ｒの上下端縁と衝き合せ形態で、各当接係止片１Ｖが、左側板１Ｌ及び右側板１Ｒの内面に当接してねじ固定すれば良く、匡体１は、各立上り片１Ｐと、左側板１Ｌ及び右側板１Ｒとのねじ固定手段で、解体、及び組立てが自在であって、外面を形成する各鋼板が面一に衝き合せで形成出来るものである。
【００４１】
〔空気分離圧力タンク２（図６）〕
図６（Ａ）は、空気分離圧力タンク２の全体斜視図であって、図６（Ｂ）は、（Ａ）の矢印Ｂ視前面図、図６（Ｃ）は、（Ａ）のＣ−Ｃ線縦断面図、図６（Ｄ）は、空気分離圧力タンク２の縦配置状態説明図である。
空気分離圧力タンク２は、ヒーターユニットボックス１の温水循環経路内に配置して、従来例１（図７）の膨張タンク、エアセパレータ、水抜き弁、及び安全逃し弁を不要とする新規なタンクであり、１ｋｗ暖房用タンクの実施例に就いて説明する。
【００４２】
空気分離圧力タンク２は、一般肉厚０．６mmの半透明プラスチック樹脂成形品であり、構造は、図６（Ｃ）に示す如く、下部が、長さ（Ｌ２）１４０mm、高さ（ｈ３）５５mm、幅（Ｗ２）が５０mmの箱型形状であり、上部は、上辺２Ｔの幅（Ｗ３）が３８mm、長さ（Ｌ３）が７０mm、高さ（ｈ４）が３０mmの裁頭角錐形状で、対向する前辺２Ｆ、後辺２Ｂには、下端から上方３０mm（ｄ５）で、幅Ｗ２の中央位置に、上辺２Ｔには、幅Ｗ３の中央で、後辺２Ｂより５５mm（Ｌ５）の位置に、おのおの、外径１３mmで肉厚０．５mmの接続口Ｊ１，Ｊ２，Ｊ３を配置したものである。
【００４３】
そして、各接続口Ｊ１，Ｊ２，Ｊ３は、ゴムパイプ５Ａ、又はゴムキャップ２Ｃの取付けを確実とするため、幅が１mmで突出高さが０．５mmの突起２Ｇを、６mm間隔で２ヵ所配置する。
また、図６（Ｃ）に示す如く、タンク２内には、左側辺２Ｌと右側辺２Ｒとに、差し渡し状に前側羽根板２Ａと後側羽根板２Ａ´とを配置する。
【００４４】
前側の羽根板２Ａは、幅Ｗ５が３５mm、厚さ６mmで、後方に３０°傾斜上昇する形態に、且つ、前端が、前辺２Ｆから距離（Ｌ６）２５mmで、下辺２Ｄから高さ（ｈ５）が２０mmに配置し、後側羽根板２Ａ´は、幅Ｗ６が３０mm、厚さ６mmで後方に３０°傾斜上昇する形態に、前端が、後辺２Ｂから距離（Ｌ５）５５mmで、下辺２Ｄから高さ（ｈ６）が３５mmで配置し、タンク２内の容量を０．５Ｌとしたものである。
【００４５】
従って、該空気分離圧力タンク２は、横使用時は、図６（Ｃ）の如く、常温（１５℃）水の状態の水位ｗＬ１、水容量０．２８Ｌ、空気量（空間容積）０．２２Ｌで、前辺接続口Ｊ１から流入水Ｆｉｎが流速０．８８５ｍ／ｓで流入し、前側羽根板２Ａ下側で、流速０．１１８ｍ／ｓの遅い流れＦ２となり、羽根板２Ａの上側の流れＦ１は、下側流れＦ２より更に低い流速となり、水と空気は分離して、空気は上部空気域Ｚａに至る。
【００４６】
また、前側羽根板２Ａで未分離の空気は、後側の羽根板２Ａ´の下側の流れＦ４が０．０６ｍ／ｓと低速であり、循環水は、２枚の羽根板２Ａ，２Ａ´がＦ１，Ｆ２，Ｆ３，Ｆ３の低速流に分流撹拌することで、水中の空気を完全に分離する。
尚、高温（８０℃）で膨張した循環水の水位はｗＬ２に至り、上辺の接続口Ｊ３をゴムキャップ２Ｃで閉止して運転するため、空気域Ｚａは、許容圧力下の圧力空気となる。
【００４７】
また、タンク２は、縦使用時は、図６（Ｄ）の如く、前辺２Ｆを上側にして配置し、上辺２Ｔの接続口Ｊ３から流入水Ｆｉｎが流入して後辺２Ｂの接続口Ｊ２から流出水Ｆｏｕｔとなり、常温時、即ち運転開始時の水位はｗＬ１であって、内容量０．５Ｌのタンク２は、水容量０．１９Ｌ、空間容積（空気量）０．３１Ｌで、暖房加熱温度８０℃に達すれば、水位はｗＬ２に至る。
そして、０．８８５ｍ／ｓの流入水Ｆｉｎは、タンク２内で急激に流速低下を生じて後側羽根板２Ａ´に当り、羽根板２Ａ´に上昇案内される流れＦ１が前側羽根板２Ａの表流Ｆ３、裏流Ｆ４となり、下降流Ｆ２と共に、低流速での撹拌分流とすることによって空気を分離し、分離空気は、空気域Ｚａの圧力空気（標準：０．０４Ｍpa以下）となる。
【００４８】
〔循環ポンプ３（図３）〕
循環ポンプ３は、慣用ポンプで、ヒーターユニットボックス１の下蓋１Ｄに配置出来るものであれば良く、放熱器８がプラスチック製の場合は、慣用の樹脂製電磁ポンプを採用する。
樹脂製電磁ポンプは、安価、且つ軽量で、運搬取付け作業性も良く、騒音も３８ｄｂ以下と静かである、三相電気（株）製の、商品番号ＰＭＤ−１４１Ｂ（単相１００Ｖ用）、又は商品番号ＰＭＤ−１４２ＢＳＧ（単相２００Ｖ用）を採用すれば良い。
【００４９】
〔パイプヒーター４（図２）〕
パイプヒーター４は、ステンレスパイプに絶縁層、導電層、断熱絶縁層を溶射形成し、３０ｗ／cm２の高電力密度で、熱効率９５％の省エネルギー型である、熱匠（株）製のＳＣヒーター（商品名）を採用すれば良い。
１本が１ｋｗの該パイプヒーター４は、外径が１５．８８mm、長さが２８０mmで肉厚２mmのパイプ形状で、両端の外周をサンドブラスト処理で粗面としたものであり、また、暖房能力３ｋｗとする場合には、３本採用すれば良い。
そして、肉厚２０mmの保温材をパイプ外周に被覆すれば、発熱効果が向上する。
【００５０】
〔配管用パイプ５Ａ（図２）〕
配管用パイプ５Ａは、ヒーターユニットボックス１内の流水経路を形成するもので、耐久性、耐熱性、耐寒性、耐溶剤性に優れ、軽量、且つ可撓性がある、慣用の、肉厚が３mmで内径１４mmのエチレン−プロピレンゴム（ＥＰＤＭ）のゴムパイプを採用する。
【００５１】
〔ボール弁６Ａ，６Ｂ，６Ｃ（図２）〕
ボール弁６Ａ，６Ｂ，６Ｃは、ヒーターユニットボックス１内に配置する水経路の開閉弁であって、円筒部に径３mmの開閉用孔を備え、該孔に六角レンチを挿入して弁の開閉を行うもので、長さ２９．５mmのパイプ形状で、一方の端部に径１２mmのねじ部を備える、バロフイック社（デンマーク）のザルホ型ボール弁を採用する。
【００５２】
〔チーズ７（図２、図３）〕
チーズ７は、ヒーターユニットボックス１内での水経路の接続に用いるもので、Ｔ字形状で、三方より配管を接続することが出来る継手金具であり、径２６mmで長さが４６mmの、円筒部の長さ方向中央から、継ぎ口が直交して９mm突出した、慣用のＴ型チーズ７を採用する。
【００５３】
〔ヒーターユニットボックス内への機器の組込み（図２、図３）〕
ヒーターユニットボックス１内への機器類の組込みは、組立工場内で行うもので、例えば、図２に示す、縦型ヒーターユニットボックス１の場合は、左側板１Ｌと下蓋１Ｄとを、左側板１Ｌの下端と下蓋１Ｄの立上り片１Ｐとを上下に衝き合せて、当接係止片１Ｖと左側板１Ｌ下端とをねじ孔Ｈ２を介してねじ固定し、下蓋１Ｄの底板１Ｂに、３mm厚、５０mm幅の平鋼板の架台１１を載置敷設し、循環ポンプ３のスタンド３Ｓを架台１１にボルト固定して循環ポンプ３を配置する。
【００５４】
そして、補強リブ１Ｇを備えた左側板１Ｌの内面に、厚さ１．６mmの鋼板を折曲げた、慣用のハット型鋼（図示せず）を、適宜長さ、適宜高さで固定し、該ハット型鋼から鋼製支持材（図示せず）を持ち出して、空気分離圧力タンク２、補助タンク２´、及び３列のパイプヒーター４を支持固定し、ゴムパイプ５Ａ及びホースバンド５Ｂを用いて、循環ポンプ３の回転継ぎ部３Ｆとパイプヒーター４とを接続し、パイプヒーター４間も接続し、図１（Ｂ）に示す如く、ヒーターユニットボックス１内には、戻り管Ｒから循環ポンプ３→パイプヒーター４→空気分離圧力タンク２→往き管Ｓの流入経路を形成する。
【００５５】
この場合、空気分離圧力タンク（主タンク）２及び補助タンク２´は、共に同一タンクであって、図２（Ａ），（Ｂ）に示す如く、上辺２Ｔが側面となる縦型に固定し、主タンク２の上側に位置する前辺２Ｆの接続口Ｊ１を、補助タンク２´の上側に位置する接続口Ｊ１と連通し、補助タンク２´の下側に位置する接続口Ｊ２、及び側面に位置する上辺２Ｔの接続口Ｊ３は、ゴムキャップ２Ｃで閉止して、補助タンク２´は、単に、主タンク２の空気域Ｚａに連通する、密閉空気域、即ち、付加拡大空気域Ｚａとする。
【００５６】
次いで、機器等の隙間を利用して、パイプヒーター４、循環ポンプ３、サーモスタット（図示せず）、温度センサー（図示せず）の電線を配線して、プリント基板（図示せず）、及び上蓋１Ｕに嵌め込んだ操作パネル９Ｂに接続する。
そして、一体化した左側板１Ｌと下蓋１Ｄに、上蓋１Ｕ及び右側板１Ｒをねじ固定すれば、ヒーターユニットボックス１と成る。
勿論、出荷前には、工場内で、往き管（サプライ管）Ｓ及び戻り管（リターン管）Ｒの端部を継手金具で連結し、図３（Ｃ）の如く、ボール弁６Ｂを閉止し、ボール弁６Ａから水を流入し、通電して循環ポンプ３及びパイプヒーター４を作動し、ボール弁６Ａから排水して、システム内の空気抜きを行い、温水を上昇させて空気分離圧力タンク２、補助タンク２´に負荷を与えて、漏水、及び機器類の異常ナシ、を確認のうえ、出荷する。
【００５７】
〔ヒーターユニットボックス１の取付け（図１、図２、図３）〕
放熱器８を壁面ＷＳに固定金具で取付けし、縦型ヒーターユニットボックス１の右側板１Ｒを、ねじの取外しによって取外し、往き管（サプライ管）Ｓ及び戻り管（リターン管）Ｒを、放熱器８下方の継ぎ部８Ｊと接続し、左側板１Ｌに穿孔する５ヶ所の電線挿入用孔Ｈ１の適宜孔を介して、ヒーターユニットボックス１内の電源用電線と、壁面ＷＳに埋設した電気ボックス９Ａから引出した電線とを結線する。
【００５８】
そして、補強リブ１Ｇを備えた左側板１Ｌを壁面ＷＳ側として、ヒーターユニットボックス１を固定する。
この場合、ヒーターユニットボックス１の電線は、ヒーターユニットボックス１内、若しくは、壁面の電気ボックス９Ａ内に隠蔽される形態となり、電線コードを引掛けることなく、電線挿入用孔Ｈ１の位置選定も自在であるため、ヒーターユニットボックス１は、作業性良く、且つ外観良く敷設出来る。
【００５９】
そして、図３（Ａ），（Ｃ）に示す如く、ボール弁６Ｂを閉止し、ボール弁６Ａ，６Ｃを開放して、ボール弁６Ａに水道の蛇口（ア）を、ホース（ウ）で接続し、ボール弁６Ｃに短尺のホース（エ）を取付け、１ｍ立ち上げてホース（エ）の先端をバケツ（イ）内に挿入する。
次いで、水道蛇口を開放して、ボール弁６Ａから水道水を流入し、ボール弁６Ｃから水が、所定水圧の下に、バケツ（イ）内に流出したら、ボール弁６Ａ，６Ｃ及び水道の蛇口（ア）を閉止し、ボール弁６Ｂを開放する。
これにより、システム内圧力は０．０１Ｍpaで安定し、放熱器８及びヒーターユニットボックス１内の、水経路中の機器類の空気は、水の流入によって排出され、温水循環暖房システム内に必要水量が充填出来る。
次いで、電源をオンにして水を循環させ、循環ポンプ３から異音が発生しなければ、システム内の空気は適正に除去されたことが確認出来る。
【００６０】
〔その他〕
ヒーターユニットボックス１を、放熱器８の下面等、横長方向に配置する場合は、ヒーターユニットボックス１は、実施例（図１、図２）と同一機材で構成するが、横配置であるため、空気分離圧力タンク２及び補助タンク２´は、横配置、即ち下辺２Ｄが下側、上辺２Ｔが上側になるように配置すれば良い。
そして、ヒーターユニットボックス１は、角筒形態の傾斜辺１Ｒ´、即ち右側板１Ｒの傾斜辺が前面となるように配置し、傾斜辺１Ｒ´に操作パネル９Ｂを配置すれば、外観上も、操作上も好ましい。
【００６１】
この場合、空気分離圧力タンク２は、図６（Ｄ）に示す形態となって、前辺２Ｆの接続口Ｊ１にパイプヒーター４経由の加熱水が流入し、後辺２Ｂの接続口Ｊ２から流出し、上辺２Ｔの接続口Ｊ３には補助タンク２´を接続すれば良い。
従って、角筒状のヒーターユニットボックス１を横方向に載置しても、空気分離圧力タンク２内での、前側羽根板２Ａ及び後側羽根板２Ａ´による循環温水の分流による制御乱流の発生により、空気分離作用、及び分離気泡の上部空気域Ｚａへの空気収納の作用を生じ、ヒーターユニットボックス１は、縦配置と同効機能を奏し、発明の所期の目的が達成出来る。
【００６２】
尚、実施例では、空気分離圧力タンク２には、同一構造の補助タンク２´を付加併設したが、補助タンク２´は、単に空気分離圧力タンク２の空気域Ｚａを拡大するものであり、実施例サイズの空気分離圧力タンク２は、使用水量及び水の加熱膨張による空気域Ｚａの空気圧上昇面から、１個使用で３ｋｗ暖房システムに耐える設計としてあり、従って、３ｋｗ以下の暖房システムにあっては、補助タンク２´は省略出来る。
【図面の簡単な説明】
【００６３】
【図１】放熱器にヒーターユニットボックスを併置した説明図であって、（Ａ）は正面図、（Ｂ）は右側面図、（Ｃ）は左側面図、（Ｄ）は水流系統図である。
【図２】縦型ヒーターユニットボックス内部の説明図であって、（Ａ）は前面図、（Ｂ）は側面図、（Ｃ）は上面図である。
【図３】空気分離圧力タンクと補助タンクとの関係説明図であって、（Ａ）は正面視図、（Ｂ）は側面視図、（Ｃ）は水充填説明図である。
【図４】ヒーターユニットボックスの匡体分解斜視図であって、（Ａ）は左側板１Ｌを、（Ｂ）は右側板１Ｒを、（Ｃ）は上蓋１Ｕを、（Ｄ）は下蓋１Ｄを示す図であり、（Ｅ）は（Ｃ）図の部分拡大図である。
【図５】ヒーターユニットボックスの説明図であって、（Ａ）は匡体の組立て状態斜視図、（Ｂ）は（Ａ）図のＢ−Ｂ線断面図、（Ｃ）は（Ａ）図のＣ部拡大図、（Ｄ）は（Ｂ）図のＤ部拡大図、（Ｅ）は（Ｂ）図のＥ部拡大図である。
【図６】空気分離圧力タンクの説明図であって、（Ａ）は、全体斜視図、（Ｂ）は、（Ａ）図の矢印Ｂ視前面図、（Ｃ）は、（Ａ）図のＣ−Ｃ線縦断面図、（Ｄ）は縦型使用状態図である。
【図７】従来例１の説明図であって、（Ａ）はシステム系統図、（Ｂ）は使用する放熱器の正面図、（Ｃ）は放熱器の側面図である。
【図８】従来例２の電気温水暖房器の縦断面図である。
【符号の説明】
【００６４】
１        ヒーターユニットボックス（匡体、ボックス）
１Ａ      コーナー辺
１Ｂ      底板
１Ｃ      アンカー片
１Ｄ      下蓋
１Ｆ      当接アンカー片
１Ｇ      補強リブ
１Ｋ      角筒部
１Ｌ      左側板
１Ｐ      立上り片
１Ｒ      右側板
１Ｒ´，ＴＳ    傾斜辺
１Ｔ      天板
１Ｕ      上蓋
１Ｖ      当接係止片（止着片）
２        空気分離圧力タンク（圧力タンク、主タンク、タンク）
２´      補助タンク
２Ａ      前側羽根板（下方羽根板、羽根板）
２Ａ´    後側羽根板（上方羽根板、羽根板）
２Ｂ      後辺
２Ｃ      キャップ
２Ｄ      下辺
２Ｆ      前辺
２Ｇ      突起
２Ｌ      左側辺（側辺）
２Ｒ      右側辺（側辺）
２Ｔ      上辺
３        循環ポンプ
３Ｆ      回転継ぎ部
３Ｊ      継ぎ部
３Ｓ      スタンド
４        パイプヒーター
５Ａ      ゴムパイプ（パイプ）
５Ｂ      ホースバンド
６Ａ，６Ｂ，６Ｃ    ボール弁
７        チーズ
８        放熱器
８Ａ      横パイプ
８Ｂ      縦パイプ
８Ｊ      継ぎ部
８Ｒ      温水排出口
８Ｓ      温水供給口
９Ａ      電気ボックス（電気配管ボックス）
９Ｂ      表示パネル（操作パネル）
１１      架台
ａ，ａ１，ａ２，ａ３    空気流
ＥＰ      折曲げ部
ＦＳ      床面
Ｈ１      電線挿入用孔
Ｈ２      ねじ孔
Ｈ３      空気流通孔
Ｊ１，Ｊ２，Ｊ３    接続口
Ｒ        戻り管（リターン管）
Ｓ        往き管（サプライ管）
ｗ        水流
ＷＳ      壁面
ｗＬ１，ｗＬ２    水位
【図１】
0004545199.tif 000002
【図２】
0004545199.tif 000003
【図３】
0004545199.tif 000004
【図４】
0004545199.tif 000005
【図５】
0004545199.tif 000006
【図６】
0004545199.tif 000007
【図７】
0004545199.tif 000008
【図８】
0004545199.tif 000009